Podtech/llm-jp-corpus-v4-ja_patent huggingface dataset:
(57)【要約】  【課題】強い風に吹かれても洗濯物干しハンガーカバーの裾が舞い上がったままにならないようにし、洗濯物が風になびくようにし、いろいろな形の洗濯物干しハンガーに対応するようにする。【解決手段】複数のピンチを備えた枠体を掛止め金具で吊り下げる洗濯物干しハンガーに被せて装着するカバーであり、円形又は楕円形の上面と周側面にあたる裾により円筒状に形成され、上面はハンガーの枠を内包してなお余裕がある大きさに、裾は適宜な長さに形成され、上面中央辺りに掛止め金具を通すための孔を有することを特徴とする。【選択図】  図２
2018187326.tif 000002
【特許請求の範囲】
【請求項１】
洗濯物干しハンガーの掛止め金具を通せる孔を有する円又は楕円状の布の周囲に適宜な長さの裾布を付け加えた洗濯物干しハンガーカバー。
【発明の詳細な説明】
【技術分野】
【０００１】  本発明は、洗濯物干しハンガーの上から全体を覆うようにかけて、洗濯物を埃等から防護したり、他人の目につかないようにしたりするカバーに関する。
【背景技術】
【０００２】  従来の物干しハンガーカバーには、いろいろな物干しハンガーの形に合わせて、直方体や円筒形等、立体的に縫製されたカバーがある。（例えば、特許文献１参照。）
また、平面状の布で覆う構成のカバーがある。（例えば、特許文献２参照。）
【先行技術文献】
【０００３】
【特許文献１】特開２０００−３５０８９９号広報
【特許文献２】特開２００５−３１９３１７号広報
【発明の概要】
【発明が解決しようとする課題】
【０００４】  以上に述べた特許文献１のカバーは、直方体や円筒形に成形されていて、カバーと洗濯物の間に余裕がないため風になびかず洗濯物は乾きにくく、他の形のハンガーへの対応が難しいものであった。特許文献２のカバーは、風に吹かれて乾きやすく、いろいろな形のハンガーに対応できるが、強い風で裾が舞い上がったままになって用をなさなくなるものであった。【０００５】  本発明は、このような従来の構成が有していた問題を解決しようとするものであり、洗濯物が風になびき、強い風で裾が舞い上がったままにならない、いろいろな形のハンガーに対応することを目的とするものである。
【課題を解決するための手段】
【０００６】そして、本発明は上記目的を達成するために、洗濯物干しハンガーの枠より大きいサイズの円又は楕円状の布を上面に使用し、その周囲に適宜な長さの裾布を付け加えてバルーンのような形状にしたものである。【０００７】  上記の課題解決手段による作用は次の通りである。洗濯物干しハンガーの枠より大きいサイズの円又は楕円状の布を上面に使用したことでいろいろな形の洗濯物干しハンガーに対応できる。その周囲に適宜な長さの裾布を付け加えてバルーンのような形状にしたことで風をはらむ空間ができて洗濯物が風に吹かれてなびきながら乾くようになり、バルーンのように裾は相対的につぼまっているので裾が強い風で舞い上がったままになるのを防止できる。
【発明の効果】
【０００８】  上述したように本発明の洗濯物干しハンガーカバーは、洗濯物が風になびきながら乾き、強い風で裾が舞い上がったままになるのを防止でき、どの形の洗濯物干しハンガーにも対応できる。
【図面の簡単な説明】
【０００９】
【図１】本発明の実施形態を示す洗濯物干しハンガーカバーの横から見た外観図
【図２】同洗濯物干しハンガーカバーの斜め上から見た外観図
【発明を実施するための形態】
【００１０】    以下、本発明の実施の形態を図１〜図２に基づいて説明する。
【００１１】  図１においては、１は洗濯物干しハンガーの掛止め金具で、孔２に通してハンガーの全体を覆うようにカバー３を垂らしたところである。４の点線は上面の布と裾布を縫い合わせた縫い目である。５はクリップで、カバーをハンガーの枠に固定している。
【００１２】  図２においては、全体の４か所をクリップ５で固定している。
【符号の説明】
【００１３】１    洗濯物干しハンガーの掛止め金具
２    孔
３    洗濯物干しハンガーカバー
４    縫い目
５    クリップ
【図１】
2018187326.tif 000003
【図２】
2018187326.tif 000004
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
複数のピンチを備えた枠体を掛止め金具で吊り下げる洗濯物干しハンガーに被せて装着するカバーであり、円形又は楕円形の上面と周側面にあたる裾により円筒状に形成され、上面はハンガーの枠を内包してなお余裕がある大きさに、裾は適宜な長さに形成され、上面中央辺りに掛止め金具を通すための孔を有する洗濯物干しハンガーカバー。
【手続補正書】
【提出日】平成29年12月27日(2017.12.27)
【手続補正１】
【補正対象書類名】明細書
【補正対象項目名】０００６
【補正方法】変更
【補正の内容】
【０００６】
本発明は上記目的を達成するために、洗濯物干しハンガーの枠よりはるかに大きいサイズの円形又は楕円形の布を上面に使用し、その周囲に適宜な長さの裾布を付け加えて、ハンガーに被せ風が吹いた時バルーンのような姿になるようにしたものである。上面に対して裾は90度の角度で縫い付けられるので開口部から入る風は内空上部を膨らませながら滞留したり、上面中央辺りの孔から抜ける上昇気流を生じたりして洗濯物は乾きやすくなる。また、内空上部が膨らみ上昇気流が生じやすいので下降気流は起きにくく裾部は相対的につぼまってバルーンのような姿になるので裾が翻り舞い上がったままになることはない。角ハンガーに対しては、枠の長辺の約1.5倍の長さの直径である円を上面とし、楕円にする場合は、枠の長辺の約1.5倍の長さの長径、短辺の約1.5倍の長さの短径である楕円を上面とする。丸型のハンガーに対しては、枠の直径の約1.5倍の長さの直径である円を上面とする。裾は適宜な長さとする。風はカバー全体を上に押し上げる力となって作用するので実際に使用する時は、カバーを被せた上からクリップ等で数か所をとめて枠とカバーを固定する。
【手続補正２】
【補正対象書類名】明細書
【補正対象項目名】０００７
【補正方法】変更
【補正の内容】
【０００７】
上記の課題解決手段による作用は次の通りである。洗濯物干しハンガーの枠よりはるかに大きいサイズの円形又は楕円形の布を上面に使用したことでいろいろな形の洗濯物干しハンガーに対応できる。その周囲に適宜な長さの裾布を付け加えて、ハンガーに被せ風が吹いた時バルーンのような姿になるので、風をはらむ空間ができて洗濯物が風に吹かれてなびきながら乾くようになり、裾は相対的につぼまっているので裾が強い風で舞い上がったままになるのを防止できる。
(57)【要約】      （修正有）【課題】一人でもどこででも、力を調整しやすく、位置も調整しやすく、強い力でも指圧できるように、テコの原理を利用した半楕円状の指圧器を提供する。【解決手段】半楕円状の一方に力点−もち手「１」を設け、もう一方に作用点―指圧点「３」を設け、円曲部分を支点とする。寝転んだり、壁にもたれたりして力点「１」を持って、半楕円状の曲面「２」を支点にして作用点である指圧点「３」を位置にあてで体をよじって指圧する。押したり体重をかけたりして力加減も楽な上に強い力で指圧でき、位置も固定しやすい。小さいため携帯でき、どこでも指圧できる。【選択図】図１
2018187330.tif 000002
【特許請求の範囲】
【請求項１】
半楕円状の、テコの原理を利用した、半楕円状の一方に力点、もう一方に指圧点を設け、円曲部分を支点とした指圧器。
【発明の詳細な説明】
【技術分野】
【０００１】  この発明は半楕円状のテコの原理を利用して指圧する指圧器である。
【技術背景】
【０００２】従来の一人用の指圧棒では力加減が難しく、強い力で押すのが難しかった。
【先行技術文献】
【特許文献】
【０００３】
【特許文献１】
【発明の概要】
【発明が解決しようとする課題】
【０００４】  これは、次のような欠点があった。
従来の一人用のつぼ押し棒は、力加減が難しく強い力で指圧しにくいうえに、すぐに位置がずれた。
本発明は、以上のような欠点をなくすためになされたものである。
【課題を解決するための手段】
【０００５】  半楕円状の一方を持ち手、もう一方を指圧点とし曲面を支点とする指圧器である。
寝転んだり、壁にもたれたりして力点「１」を持って、半楕円状の曲面「２」を支点にして作用点である指圧点「３」を位置にあてで体をよじって指圧する。
【発明の効果】
【０００６】  押したり体重をかけたりして力加減も楽な上に強い力で指圧でき、位置も固定しやすい。小さいため携帯でき、どこでも指圧できる。
【図面の簡単な説明】
【０００７】
【図１】  本発明の斜視図である。
【図２】  本発明の側面図である。
【図３】  本発明の平面図である。
【発明を実施するための形態】
【０００８】  半楕円状の指圧器である。一方を持ち手、もう一方を指圧点とする。曲面が支点。
寝転んだり、壁にもたれたりして力点「１」を持って、半楕円状の曲面「２」を支点―作用点である指圧点「３」を位置に当て、押したり、体をよじって指圧する。
【符号の説明】
【０００９】
2018187330.tif 000003
【図１】
2018187330.tif 000004
【図２】
2018187330.tif 000005
【図３】
2018187330.tif 000006
(57)【要約】【課題】  頭蓋内の血流測定のための音波、パルスドツプラー方法を得る。【解決手段】  血液の流れの早い時期の音波ドツプラー値と血液の流れの遅い時期の音波ドツプラー値の差をとる。【特許請求の範囲】
【請求項１】
音波障害物を通して物体の動きを音波ドツプラー方法にて検出するために、物体の動きが早い時期と遅い時期のそれぞれの音波ドツプラー検出量の差でもって測定値とする音波ドツプラー方法。
【発明の詳細な説明】
【０００１】  本発明は物体の動きを測定する音波ドツプラー方法に関する。
【背景技術】
【０００２】  従来頭蓋骨で囲まれた脳画像診断のため、ＣＴ、シンチグラフイー、ＭＲＩ、光トポグラフイーが開発されているが、放射線被爆、装置が高価、画像解像度が悪い又検査時間が長い等の問題があった。【０００３】  そこで機能画像診断方法として頭部、肺以外の血流測定に汎用され、その有用性が高く評価されている超音波ドツプラー方法を利用する方法が求められていた。
【先行技術文献】
【０００４】
【非特許文献１】Ｎｅｕｒｏｓｏｎｏｌｏｇｙ  １９（３）：１１３−１３１，２００６
【発明の概要】
【発明が解決しようとする課題】
【０００５】  頭部は頭蓋骨に囲まれていて、超音波断層検査ができなかった。そのため高価で時間がかかり、分解能が悪く、放射線被爆の問題がある造影ＣＴ、シンチグラフイー、ＭＲＩ、光トポグラフイーしかなかった。【０００６】  本発明方法は、このような従来の問題を解決しようとするものであり、従来は測定できなかった頭部パルス音波ドツプラー方法を提供しようとするものである。
【課題を解決するための手段】
【０００７】  そして本発明方法は、上記目的を達成するために頸動脈の拍動を感知し脳内動脈の拍動を推測して脳動脈の血流が早い時期と遅い時期に頭蓋骨にて散乱し難く透過率の良い低周波の音波を照射し、得られた音波ドプラー値の差でもって脳内血流音波ドプラー方法を得ている。
【発明の効果】
【０００８】  本発明音波ドツプラー方法は上記のような形態をとっているので、頭蓋骨の同じ部位を音波の窓として音波を脳内に照射し、かつ脳内からの反射波を検出しているので、頭部のように全体の動きのない部位では頭蓋骨による音波の散乱、頭蓋骨からの固有周波数音波発振の影響は除かれている。【０００９】  骨は膠原組織を多く含み音波の減衰が激しいが、射入音波強度を強くするか又は何回も音波ドツプラー方法を実施し、測定値を重ね合わせる事と低周波音波を使用し解決している
【発明を実施するための形態】
【００１０】  以下本発明音波ドツプラー方法の実施例を説明する。
【実施例】
【００１１】  頸動脈に近赤外線を照射して拍動を検出し、頭蓋内の脳動脈の血液の流れを推測する。
そして頭蓋骨外部から音波を脳内に射入し、脳動脈の血液の流れの早い時期とほとんど流れていない時期の２時点で脳動脈の赤血球の流れによる音波ドツプラー値を測定し、その値の差でもってカラー音波ドツプラー断層像を得ている。【００１２】  頭蓋骨による音波の反射又減衰が激しいので、体の他の部分の音波ドツプラー方法より強い音波を頭蓋骨に射入させる必要があるが、そのため何回も測定して重ね合わせる実施方法がある【００１３】  本発明方法は、非特許文献１に示されている。側頭骨からだけでなく、頭上半分から音波パルスドツプラー検査ができている。
【産業上の利用可能性】
【００１４】  本発明は、脳疾患すなわち脳梗塞の早期診断、脳変性疾患の検査に利用できる。
(57)【要約】【課題】歯車加工時において被削材の歯部に面取り加工を行うと同時に、面取り加工により発生するバリも除去できるスカイビングカッタを提供する。【解決手段】歯車型の歯面に複数の切刃２、２を備えるスカイビングカッタ１において、切刃２と歯底４の間には面取り用刃部１０を有しており、かつ歯底４には段差部２０、２１を設けるスカイビングカッタ１とする。また、これらの段差部２０、２１は、歯先３と平行である第１平行部３０および第２平行部４０の間に設けることもできる。【選択図】図１
2018187714.tif 000002
【特許請求の範囲】
【請求項１】
歯車型の歯面に複数の切刃を備えるスカイビングカッタであって、前記切刃と歯底の間には面取り用の刃部を有しており、かつ歯底には段差部が設けられていることを特徴とするスカイビングカッタ。
【請求項２】
前記段差部は、歯先と平行である第１平行部および第２平行部の間に設けられていることを特徴とする請求項１に記載のスカイビングカッタ。
【発明の詳細な説明】
【技術分野】
【０００１】
本発明は、歯車を加工するために用いる歯切工具であるスカイビングカッタに関する。
【背景技術】
【０００２】
従来よりピニオンカッタやスカイビングカッタに代表される歯切工具を用いた被削物（ワーク）の加工では、被削材である歯車を構成する歯部の先端に面取り加工を施す場合があった。その場合には、歯切工具の歯底付近に面取りを施す専用の刃部が設けられている。
【０００３】
例えば、特許文献１ないし３には歯先と歯底の間に傾斜した刃部（面取り専用刃部）を備えたピニオンカッタが開示されている。この様な歯切工具を使用することで、被削材の内周側に歯車を加工すると同時に、その歯車の歯部の先端に面取り加工を施すことができる。
【先行技術文献】
【特許文献】
【０００４】
【特許文献１】特開昭５６−１５２５２４号公報
【特許文献２】実開昭５７−１５３４２１号公報
【特許文献３】特開平３−２２８５１８号公報
【発明の概要】
【発明が解決しようとする課題】
【０００５】
しかし、面取り加工を行う刃部を用いて被削材の歯車を加工した時、被削材の歯部の縁にバリが発生するという問題があった。被削材の歯部の縁にバリが発生すると、歯切工具による歯車加工の後に、別の工具（例えば、専用のバリ取り工具）を用いてそのバリを除去する必要があり、歯車製作工程において新たな工程が加わることになる。
【０００６】
そこで、本発明においては歯車加工時において被削材の歯部に面取り加工を行うと同時に、面取り加工により発生するバリも除去できるスカイビングカッタを提供することを課題とする。
【課題を解決するための手段】
【０００７】
前述した課題を解決するために、本発明は歯車型の歯面に複数の切刃を備えるスカイビングカッタにおいて、切刃と歯底の間には面取り用の刃部を有して、かつ歯底には段差部を設けるスカイビングカッタとした。また、この段差部は、歯先と平行である第１平行部および第２平行部の間に設けることもできる。
【発明の効果】
【０００８】
本発明のスカイビングカッタを用いることで、歯車加工時において被削材の歯部に面取り加工を行うと同時に、面取り加工により発生するバリも除去できるという効果を奏する。
【図面の簡単な説明】
【０００９】
【図１】本発明の一実施形態を示すスカイビングカッタ１の歯先３および歯底４における拡大斜視図である。
【発明を実施するための形態】
【００１０】
本発明のスカイビングカッタの形態について図面を用いて説明する。本発明の一実施形態を示すスカイビングカッタ１の歯先３および歯底４における拡大斜視図を図１に示す。本発明のスカイビングカッタ１は図１に示すように歯車型の歯面に互いに隣接する複数の切刃２、２を備えている。
【００１１】
このスカイビングカッタ１を形成する切刃２と歯底４との間には、図１に示すように面取り用の刃部１０が設けられている。また、歯底４には溝部１００が形成されることで左右両側に段差部２０、２１が設けられている。この段差部２０は、溝部１００の底面と歯底４を形成している第１平行部３０との高さ（深さ）の差異でもある。同様に、段差２１は溝部１００の底面と歯底４を形成している第２平行部４０との高さ（深さ）の差異となる。
【００１２】
つまり、これらの第１平行部３０および第２平行部４０は、それぞれ溝部１００が形成される前に歯底４を形成していた一部分であり、歯底４の面はスカイビングカッタ１の歯先３と平行になるように形成されている。図１では、第１平行部３０および第２平行部４０は共にほぼ同じ位置（高さ）となるように形成されているが、第１および第２平行部３０、４０の位置は異なっていても構わない。
【００１３】
また、段差部２０、２１の大きさ（幅や深さ）は歯底４に形成される溝部１００の大きさ（幅や深さ）によって任意に調整できるものとする。
【符号の説明】
【００１４】
１            スカイビングカッタ
２            切刃
３            歯先
４            歯底
１０          面取り用の刃部
２０、２１    段差部
３０          第１平行部
４０          第２平行部
１００        溝部
【図１】
2018187714.tif 000003
(57)【要約】      （修正有）【課題】複数の槽をもつシンクの仕切り部分への砥石台の固定が確実になり、作業精度、作業能率が向上する砥石台を提供する。【解決手段】砥石１０が上面に設けられ、右側（あるいは左側、あるいは両側）にネジ３が取り付けられたコの字型の部品２を槽の仕切り部分に設置し、ネジの開け閉めで固定する。砥石台の上に砥石よりやや大きめのケース５を取り付ける。ネジは数が多い方が固定する力が大きくなり、強固に固定することができる。【選択図】図１
2018187743.tif 000002
【特許請求の範囲】
【請求項１】
厨房において包丁を研ぐための砥石を固定する冶具であって、複数の槽をもつシンクの仕切り部分を挟み冶具を固定するための脚部を備えた砥石台
【発明の詳細な説明】
【技術分野】
【０００１】
本発明は、包丁を研ぐための砥石を固定する砥石台に関する。
【背景技術】
【０００２】
料理職人の方々は毎日のように包丁を研いでると思いますが、今までは台の上にタオルか何かを敷いて研いでいたと思う。安定も悪いし砥石の垢も流すのに面倒くさいと思う。砥石の固定方法に関する発明は実用新案登録第３０４５１３３号公報に開示されているが、砥石を研ぐためのものではない。
【先行技術文献】
【特許文献】
【０００３】
【特許文献１】実用新案登録第３０４５１３３号
【発明の概要】
【発明が解決しようとする課題】
【０００４】
厨房で働く料理職人の方々の命と言われる包丁に付いて考えたものである。料理職人の方々は毎日のように包丁を研いでると思いますが、三槽に砥石台を固定出来たら水を流しながら作業が出来るのである。今までは台の上にタオルか何かを敷いて研いでいたと思う。安定も悪いし砥石の垢も流すのに面倒くさいと思う。
【課題を解決するための手段】
【０００５】
厨房において包丁を研ぐための砥石を固定する冶具であって、複数の槽をもつシンクの仕切り部分を挟み冶具を固定するための脚部を備えた砥石台。
【発明の効果】
【０００６】
本発明の砥石台を用いることにより、砥石の固定が確実になり、作業制度、作業能率が向上する。また、すぐそばに蛇口があるため、蛇口を左右に振ればすぐに砥石を洗浄することができる。
【図面の簡単な説明】
【０００７】
【図１】本発明に砥石台の例である。
【図２】本発明に砥石台をシンクにセットした例である。
【図３】本発明に砥石台の他の例である。
【発明を実施するための形態】
【０００８】
図１に本発明の砥石台１を示す。１０は砥石である。
槽の仕切り部分にコの字型の部品２で挟んで右側（あるいは左側、あるいは両側）にネジ３を取り付ける。ネジの開け閉めで固定する。ネジは数が多い方が固定する力が大きくなり、強固に固定することができる。なお、固定方法はこの方法にはこだわらないことはもちろんである。図２に示すように、バネ４を用いる方法もある。その上に砥石よりやや大きめのケース５を取り付ける。ネジ３の部分の内側にゴムパッキン３１をつける。砥石ケースにはタオルなど敷いて使用する。
【０００９】
図２は、本発明の砥石台を３槽式のシンクにセットした状態を示す。水道の蛇口を動かす（回転させる）ことにより、砥石の垢を容易に流すことができる。なお、槽の仕切り部分に挟んで長いこと使用すると、下の部分（脚部）が広がってくると思う。その為材料は強度の高いステンレス鋼を使用すると良いと思います。錆びない為にも良い。
【００１０】
図３は、固定のために、バネ４を用いた場合である。
【産業上の利用可能性】
【００１１】
新規製品の需要が見込まれる。
【符号の説明】
【００１２】
１  本発明の砥石台
２  コの字型の部品
３  ネジ
３１  ゴムパッキン
４  バネ
５  ケース
４  砥石
【図１】
2018187743.tif 000003
【図２】
2018187743.tif 000004
【図３】
2018187743.tif 000005
(57)【要約】【課題】茶筅の外穂の穂先の湾曲状の形状を保持するための茶筅保形具を提供することを目的とする。【解決手段】  倒卵形茶筅立てに、該倒卵形茶筅立ての湾曲部と嵌合する形状を有する保形具を前記倒卵形茶筅立ての湾曲部に圧着するように設けてなる茶筅保形具。【選択図】図３
2018187111.tif 000002
【特許請求の範囲】
【請求項１】
倒卵形茶筅立てに、該倒卵形茶筅立ての湾曲部と嵌合する形状を有する保形具を前記倒卵形茶筅立ての湾曲部に圧着するように設けることを特徴とする茶筅保形具。
【発明の詳細な説明】
【技術分野】
【０００１】
本発明は、茶道に用いる茶筅の外穂の形状を保持するための茶筅保形具に関する。
【背景技術】
【０００２】
茶道は、抹茶を飲み楽しむことに様々な文化が加わって発展してきた。つまり、茶室や庭など住まいに関する空間、茶道具を選んだり鑑賞したりする工芸、そしてお茶会に出てくる懐石料理や和菓子などの食、客人を気持ちよくもてなすための点前作法が融合した総合芸術と言えるものである。
【０００３】
さらに茶道は褝宗と深く関わり、「わび、さび」という精神文化を生み出した。この「わび、さび」とはわびしい、さびしいという満たされない状態を認め、慎み深く行動することを言うものである。茶道においては、かかる「わび、さび」の精神を大切にし、茶室という静かな空間で茶を点てることに集中することで心を落ち着かせ、そのことによって自分自身を見直し、精神を高めることができる。
また、茶道では「一期一会」という言葉が有る。これは「人との出会いを一生に一度のものと思い、相手に対し最善を尽くす」という意味である。茶道ではこれらの精神にのっとってお茶をたてる事を大切にするのである。
【０００４】
一般に茶道の点前の手順としては、
（１）茶碗に抹茶を入れて釜の湯を注ぎ、茶筅でかき回し泡立てる。
（２）手で茶碗を取り、左の手のひらにのせ回し飲む（なお茶碗には正面があり、運ばれてきたときに向けられた側が正面になり、お茶をいただくときに、この正面を避けるため、茶碗を回す）。
（３）飲んだ後を指先でぬぐい、指は懐紙で拭く。
等の作法で飲むものとされている。
【発明の概要】
【発明が解決しようとする課題】
【０００５】
そして前記点前で用いられる茶筅は、使用していくうちに外穂の穂先が伸びて抹茶を点てにくくなっていた。これらの穂先の形状を保持する茶筅立てとしては、種々のものが提案されている。なかでも代表的なものとして図１に示すような陶器製のいわゆる茄子状の倒卵形茶筅立てが掲げられる。
しかしながらこの茶筅立ては、ある程度穂先が湾曲状であれば、復元は可能であるが、使い込んで穂先の湾曲度が小さくなったものは、実質的に湾曲状に復元することは不可能であった。
そこで本発明者は、従来穂先の形状の復元が困難な茶筅でも容易にその形状を復元できる茶筅立てについて種々研究を重ねた結果本発明を完成するに至った。
【課題を解決するための手段】
【０００６】
すなわち、本発明は、倒卵形茶筅立てに、該倒卵形茶筅立ての湾曲部と篏合する形状を有する保形具を前記倒卵形茶筅立ての湾曲部に圧着するように設けることを特徴とする茶筅保形具である。
【発明の効果】
【０００７】
本発明の茶筅保形具を用いることによって常に穂先を湾曲状態に保持することができるので、抹茶に湯を注いでかき回すことにより好適に泡立てることができ、かつ長期間使用することができる。
【図面の簡単な説明】
【０００８】
【図１】茶筅立ての斜視図である。
【図２】本発明のさかずき形保形具の断面図である。
【図３】本発明の茶筅保形具の装着状態を示した一部断面部で示した側面図である。
【図４】帯状保形具の斜視図である。
【図５】網目構造とした帯状保形具の斜視図である。
【発明を実施するための形態】
【０００９】
次に本発明を図面を参照しながら説明をする。
図１は、従来の倒卵形茶筅立て１である。中央の穴部に内穂を入れ、外壁部に沿って外穂を被せるようにして挿入する。図２は、本発明の保形具の一例を示すさかずき形保形具２の縦断面図である。このさかずき型保形具２は中空３であり、その湾曲部４は、倒卵形茶筅立て１の湾曲部５と篏合する形状となっている。またさかずき型保形具２の台部６は、茶筅立て１を嵌入したときに、該茶筅立て１の台部７が納まる高さとすることが好ましい。また、さかずき形保形具２の開口部Ｈは、図３に示すように茶筅立て１に茶筅８を差し込んだ状態で外穂がかぶった状態でさかずき形保形具２に挿入できることが好ましい。このようにさかずき形保形具２を用いると茶筅立て１が重錘の代わりになるので穂先（外穂）を強制的に湾曲整形させることができる。
前記さかずき形保形具の素材としては、木、金属、合成樹脂等種々のものが使用できる。
【００１０】
また本発明の保形具の他の態様としては図４に示すような帯状保形具９も用いることができる。帯状保形具９の湾曲部１０は茶筅立て１の湾曲部５に圧着できる形状とする。また１箇所に縦に切り込み１１を入れると、この切断された切り込み部分が開く状態となり、茶筅立て１に上部から挿入した場合、茶筅立て１の湾曲部５に帯状保形具９の下縁部１２が接したときに切り込み部１１が左右に開口することによって帯状保形具９を茶筅立て１の湾曲部５に装着させることができる。
帯状保形具９の素材としてはゴム、軟質合成樹脂のような柔軟性のある可塑性素材が好ましい。
【００１１】
本発明の保形具は、図５に示すように壁面を例えば網目状とすることによって茶筅の乾燥が早められ、カビの発生を防止することができる。
【符号の説明】
【００１２】
１・・・倒卵形茶筅立て
２・・・さかずき形保形具
３・・・中空
４・・・さかずき形保形具の湾曲部
５・・・茶筅立ての湾曲部
６・・・さかずき形保形具の台部
７・・・茶筅立ての台部
８・・・茶筅
９・・・帯状保形具
１０・・・状保形具の湾曲部
１１・・・切り込み
１２・・・下縁部
Ｈ・・・開口部
【図１】
2018187111.tif 000003
【図２】
2018187111.tif 000004
【図３】
2018187111.tif 000005
【図４】
2018187111.tif 000006
【図５】
2018187111.tif 000007
(57)【要約】【課題】三次元構造物を円滑に連設していくことが出来る三次元構造物の造形装置を提供しようとするもの。【解決手段】三次元構造物１の長手方向に移動して三次元造形する機構と、前記三次元構造物１の連設方向に移動して三次元造形する機構とを具備し、連設方向に対して片持ち式にするようにした。前記三次元構造物１の長手方向に移動する一対のレール５を有し、前記レール５は連設方向にも移動するようにしてもよい。【選択図】図１
2018187834.tif 000002
【特許請求の範囲】
【請求項１】
三次元構造物（１）の長手方向に移動して三次元造形する機構と、前記三次元構造物（１）の連設方向に移動して三次元造形する機構とを具備し、連設方向に対して片持ち式にするようにしたことを特徴とする三次元構造物の造形装置。
【請求項２】
前記三次元構造物（１）の長手方向に移動する一対のレール（５）を有し、前記レール（５）は連設方向にも移動するようにした請求項１記載の三次元構造物の造形装置。
【発明の詳細な説明】
【技術分野】
【０００１】
この発明は、個々の三次元構造物を円滑に連設することが出来る造形装置に関するものである。
【背景技術】
【０００２】
従来、アーチ状ハウスを複数列に連設するように配置してなる農業用のハウスに関する提案があった（特許文献１）。
この農業用のハウスは、２棟のアーチ状ハウスを連棟している。連棟する各々のアーチ状ハウスの骨組は、両端部を直線状の柱部とし、その中間を中央凸のアーチに湾曲してなるアーチパイプを一定の間隔で互いに平行に配列している。さらに、連棟しているアーチ状ハウスの間で直線状の柱部の間には、通路用の梁を設けて、この梁に通路用のアーチパイプを連結している。
以上の農業用のハウスは、連棟しているアーチ状ハウスの間に設けている直線状の柱部の間隔を広くして、この間を農業用機械が通過して移動できるように、柱部の間に連結用の梁を配置し、この梁の両端部を通路用の柱で支持して、梁には通路用のアーチパイプを連結している。
この農業用のハウスは、骨組の構造が相当に複雑で施行に手間がかかる欠点があり、従来提案の目的は、簡単な構造とし、かつ充分な強度を実現しながら、連棟しているアーチ状ハウスの間の谷柱の間隔を広くして、農業用機械が谷柱の間を通過して自由に移動できる構造にできる連棟農業用のハウスを提供することにあった。
しかし、三次元構造物をより円滑に連棟していくことが出来る三次元構造物の造形装置に対する要望があった。
【先行技術文献】
【特許文献】
【０００３】
【特許文献１】特開2014-045681
【発明の概要】
【発明が解決しようとする課題】
【０００４】
そこでこの発明は、三次元構造物を円滑に連設していくことが出来る三次元構造物の造形装置を提供しようとするものである。
【課題を解決するための手段】
【０００５】
前記課題を解決するためこの発明では次のような技術的手段を講じている。
（１）この発明の三次元構造物の造形装置は、三次元構造物の長手方向に移動して三次元造形する機構と、前記三次元構造物の連設方向に移動して三次元造形する機構とを具備し、連設方向に対して片持ち式にするようにしたことを特徴とする。
前記三次元構造物として、建築物（温室栽培ハウス、グリーンハウス、ビニールハウスなど）や、電解装置のハウジングを例示することが出来る。
前記連設の態様として、三次元構造物たる建築物を連棟することを例示できる。また、連設の態様として、三次元構造物を合い接する連接などを例示できる。
この三次元構造物の造形装置は、三次元構造物の長手方向に移動して三次元造形する機構を具備するので、個々の三次元構造物を造形することが出来る。
また、前記三次元構造物の連設方向に移動して三次元造形する機構を具備し、連設方向に対して片持ち式にするようにしたので、前記個々の三次元構造物を連設方向に対して一方向に向けて連設することが出来る。
【０００６】
（２）前記三次元構造物の長手方向に移動する一対のレールを有し、前記レールは連設方向にも移動するようにしてもよい。
このように構成すると、三次元構造物の長手方向に移動する一対のレールにより安定して三次元造形しつつ、個々の三次元構造物を円滑に連設していくことが出来る。
【発明の効果】
【０００７】
この発明は上述のような構成であり、次の効果を有する。
三次元構造物をより円滑に連設していくことが出来る三次元構造物の造形装置を提供することが出来る。
【図面の簡単な説明】
【０００８】
【図１】この発明の建築物（三次元構造物）の造形装置の実施形態を説明する正面図。
【図２】この発明の建築物（三次元構造物）の造形装置の実施形態を説明する側面図。
【図３】この発明の建築物（三次元構造物）の造形装置の実施形態を説明する平面図。
【発明を実施するための形態】
【０００９】
以下、この発明の実施の形態を図面を参照して説明する。
図１乃至図３に示すように、この実施形態の建築物（三次元構造物１）の造形装置２は、建築物１の長手方向（図３の図示 上方向）に移動して三次元造形する機構と、前記建築物１の連棟（連接）方向（図３の図示 右方向）に移動して三次元造形する機構とを一体として具備し、連棟方向に対して片持ち式（図１参照、下向きの略Ｆ字状）にするようにした。
前記三次元構造物１として、建築物（温室栽培ハウス。グリーンハウス、ビニールハウスともいう）を造形した。この温室栽培ハウスの底面には養殖池３（図１及び２参照）を設置し、その上にはイチゴ４（図３参照）の栽培スペースを設けた。
【００１０】
前記連設の態様として、三次元構造物１たる建築物を連棟（連設）するようにした。また、連設の態様として、三次元構造物１を合い接する連接とするようにした。
前記三次元構造物１たる建築物の長手方向に移動する一対のレール５を有し、前記レールは連棟（連設）方向にも移動するようにした。
【００１１】
次に、この実施形態の建築物（三次元構造物１）の造形装置の使用状態を説明する。
この建築物（三次元構造物１）の造形装置は、三次元構造物１の長手方向に移動して三次元造形する機構を具備するので、個々の三次元構造物を造形することが出来る。
また、前記三次元構造物の連設方向に移動して三次元造形する機構を具備し、連設方向に対して片持ち式にするようにしたので、前記個々の三次元構造物１を連設方向に対して一方向に向けて連棟（連設）することが出来るという利点がある。
さらに、前記三次元構造物１の長手方向に移動する一対のレール５を有し、前記レール５は連棟（連設）方向にも移動するようにしたので、三次元構造物１の長手方向に移動する一対のレール５により安定して三次元造形しつつ、個々の三次元構造物１を円滑に連設していくことが出来るという利点がある。
【産業上の利用可能性】
【００１２】
三次元構造物をより円滑に連設していくことが出来ることによって、種々の三次元構造物の造形装置の用途に適用することができる。
【符号の説明】
【００１３】
１  三次元構造物（建築物）
５  レール
【図１】
2018187834.tif 000003
【図２】
2018187834.tif 000004
【図３】
2018187834.tif 000005
(57)【要約】【課題】  靴サイズ調整及びそれに伴う足の痛み軽減という効果をさらに高める。【解決手段】  履物のつま先付近に設置するつま先調整具（１）であって、この調整具は表布（１３）に包まれた少なくとも２層のスポンジ層（１４，１５）を有することを特徴とする。前記表布（１３）は吸湿発熱繊維であることが好ましく、前記少なくとも２層のスポンジ（１４，１５）は低反発性素材であることが好ましい。低反発素材としては、たとえば低反発性ポリウレタンスポンジを使用することができる。【選択図】図４
2018187043.tif 000002
【特許請求の範囲】
【請求項１】
履物のつま先付近に設置するつま先調整具（１）であって、この調整具は表布（１３）に包まれた少なくとも２層のスポンジ層（１４，１５）を有し、
各スポンジ層（１４，１５）は、互いに固定されていないで、間がわずかに開いたり、互いにわずかにずれたりすることはできる
ことを特徴とする履物のつま先調整具（１）。
【請求項２】
前記表布（１３）が吸湿発熱繊維である請求項１記載の履物のつま先調整具（１）。
【請求項３】
前記少なくとも２層のスポンジ層（１４，１５）が低反発性素材である請求項１又は２記載の履物のつま先調整具（１）。
【発明の詳細な説明】
【技術分野】
【０００１】
本発明は履物のつま先調整具に関する。ここで「履物」はスリッパのように前部や上部が開放されているものでなければ、すべてに適用可能である。
【背景技術】
【０００２】
特にパンプスやハイヒールなど女性用の靴にあってはデザイン性に重点が置かれ、どうしても先端の尖った形態のものになりがちである。このような靴は使用者の足先が靴の内部先端にぴったり合わず、履き心地という点では好ましくない。
【０００３】
これを解消するために下記特許文献１では、「可塑性の低反発素材で形成され、靴内部の先端に入り込むように凸湾曲し、かつ足先の全体外縁に沿うように凹湾曲した略三角形状の平面形状を成し、かつ前記靴内部の先端部を充填する厚みを有することを特徴とする靴サイズ調整用詰め物」を提案している。
【先行技術文献】
【特許文献】
【０００４】
【特許文献１】実用新案登録第３１６５５３４号
【発明の概要】
【発明が解決しようとする課題】
【０００５】
上記従来技術の詰め物は、靴サイズ調整及びそれに伴う足の痛み軽減という効果を有するとされている。本発明はこれらの効果をさらに高めることを目的とする。
【課題を解決するための手段】
【０００６】
本発明は、履物のつま先付近に設置するつま先調整具であって、この調整具は表布に包まれた少なくとも２層のスポンジを有し、各スポンジ層は、互いに固定されていないで、間がわずかに開いたり、互いにわずかにずれたりすることができることを特徴とする（請求項１）。
【０００７】
前記表布は吸湿発熱繊維であることが好ましい（請求項２）。
【０００８】
前記少なくとも２層のスポンジは低反発性素材であることが好ましい（請求項３）。
【発明の効果】
【０００９】
本発明請求項１及び３によれば、少なくとも２層のスポンジの各層の間が少し開いたり、互いにわずかにずれたりすることができる。そのため、使用時に足指の先がスポンジ全体を押すだけでなく、各層の間にも入り込んで圧迫感や窮屈な感触が軽減される。
【００１０】
請求項２によれば、冬場の足先の寒さを軽減させることができる。
【図面の簡単な説明】
【００１１】
【図１】実施例１のつま先調整具を装着した状態の斜視図である。
【図２】実施例１のつま先調整具の（ａ）平面図、（ｂ）正面図、（ｃ）左側面図、（ｄ）底面図、（ｅ）右側面図、（ｆ）背面図である。
【図３】使用状態を示す平面図である。
【図４】図２の４−４線拡大断面図である。（ａ）は使用前、（ｂ）は使用中を示す。
【発明を実施するための形態】
【００１２】
以下、添付の図面に基づいて、本発明の実施例を説明する。
【００１３】
図１及び図２に示す実施例１のつま先調整具１は靴サイズ調整が可能な詰め物であって、三日月形の肉厚の本体１１を有する。本体１１は三日月形に湾曲しているので、凹み部分１２を有する。
【００１４】
図１、３に示すように、つま先調整具１は、湾曲した凹み部分１２につま先が当たるように配置される。
【００１５】
このつま先調整具１は、表布１３に包まれた１４、１５が２層に分かれて封入されている。図２（ａ）（ｄ）に表れている線１６は表布縫製時の折り畳みヒダである。なお、このスポンジは少なくとも２層あることが必要であり、３層又はそれ以上であってもよい。
【００１６】
表布１３としては、通常の布帛でもよいが、吸湿発熱繊維を使用すれば、冬場の足先の寒さを軽減させることができる。この吸湿発熱繊維としては、アクリル繊維やレーヨン繊維を改質した繊維などがあげられる。具体的には、ユニクロ社製「ヒートテック（登録商標）」東洋紡社製の「エクス（登録商標）」、旭化成社製の「ベンベルグ（登録商標）」、美津濃社製の「ブレスサーモ（登録商標）」、などを用いることができる。
【００１７】
各スポンジ１４，１５は、低反発性素材が好ましく、各スポンジ層の厚みは０．５ｍｍ〜１．５ｍｍである。低反発素材としては、たとえば低反発性ポリウレタンスポンジを使用することができる。
【００１８】
２層のスポンジの境界部分は固定されていないが、スポンジ表面が有する摩擦力や表布による外からの締め付けのために、各スポンジは大きく移動することはできない。しかし、２層のスポンジの間が少し開いたり、互いにわずかにずれたりすることはできる。この性質を利用すると、図４（ｂ）に示すように、使用時に足指の先が２層のスポンジ全体を押すだけでなく、両者の間にも入り込むことができ、従来の詰め物で見られたような圧迫感や窮屈な感触が軽減される。
【符号の説明】
【００１９】
１     つま先調整具
１１   本体
１２   凹み部分
１３   表布
１４   スポンジ
１５  スポンジ
１６   折り畳みヒダ
【図１】
2018187043.tif 000003
【図２】
2018187043.tif 000004
【図３】
2018187043.tif 000005
【図４】
2018187043.tif 000006
(57)【要約】      （修正有）【課題】簡単な構造、動作で紙パックを解体する。【解決手段】解体器を薄い置き型にする。両手で紙パックを安定的に扱える用にする。替刃を身近な物にする。製作費を安くする。【選択図】図１
2018187422.tif 000002
【特許請求の範囲】
【請求項１】
紙パックをガイド板に添わせ、両手で紙パックの５辺全てを同じ動作でスライドし、解体する事を特徴とする。
【請求項２】
各社のカッターナイフ折刃をゴムシート二枚で挟む事で固定、交換、折刃の出幅調整が出来る事を特徴とする。
【発明の詳細な説明】
【技術分野】
【０００１】本器は簡単な構造、動作で紙パックを解体する。
【背景技術】
【０００２】握り型解体器は小ささ重視。片手で紙パックを抑え、片手で解体器を握る為、持ち手が不安定だった。箱型解体器は解体の早さ重視。本体に紙パックをセットする、付属品を使う、無駄に大きい、複数の刃物が必要だった。
【先行技術文献】
【特許文献】
【０００３】
【特許文献１】特開２０１１−１４３９３７号  公報
【特許文献２】特開２００５−０１３６９３号  公報
【特許文献３】特開２００１−０７９２８２号  公報
【特許文献４】特開２００４−２５５１４８号  公報（Ｐ２００４−２５５１４８Ａ）
【特許文献５】特開２０００−２２９１８２号  公報（Ｐ２０００−２２９１８２Ａ）
【非特許文献】
【０００４】
【非特許文献１】
【発明の概要】
本体板は幅約１４０ミリ、長さ約１８０ミリ、厚さ３０ミリ以上。紙パックの切り口が引っかかりにくくする為、滑り止め板から本体板に掛けて約３ミリから４ミリ程度の緩やかな勾配を付ける。本体板の左面、９０ミリから１１０ミリの間に６ミリの刻みを入れる。ここに厚さ３ミリ、幅２０ミリ、長さは本体板の厚さと同じ３０ミリ以上のゴムシート２枚とカッターナイフ折刃を挟む。ガイド板のサイズは本体板と同じく、長さ約１８０ミリ、幅約４０ミリ、厚さ２ミリから３ミリ。ガイド板はビス２本で本体に固定。滑り止め板は本体板と同じく、長さ約１４０ミリ、幅約３０ミリ、厚さ２ミリから３ミリ。約が多い理由はサイズにこだわる必要が無い為。
【発明が解決しようとする課題】
【０００５】箱型解体器は本体に紙パックをセットし、付属品を使用する。複数の刃物が必要。解体後は付属品を外してから紙パックを取り出す。安全性を考え過ぎた為、本体が無駄に大きい。部品も多すぎて生産コストがかさむ為、市場では見た事が無い。握り型解体器は片手で紙パックを抑え、片手に解体器を握り、不安定な扱いで、握力も使う。複数の解体には不向きである。替刃が限定されている為、手軽に交換出来ない。
【課題を解決するための手段】
【０００６】解体器を手で持たない置き型にして、紙パックだけを両手で扱う。
【発明の効果】
【０００７】握力と解体器にセットする必要がない。付属品無用。両手で解体可能。各社のカッターナイフ折刃をゴムシートで挟む事で刃を交換可能にした。
【図面の簡単な説明】
【０００８】
【図１】スライドする順番。右面図と左面図。
【図２】斜視図。カッターナイフの替刃から折刃を折る。
【発明を実施するための形態】
【０００９】本器２の滑り止め板をテーブルやキッチンの縁で止める。紙パックの閉じた注ぎ口を手前に、３のガイド板に添わす。底面から三角部までを８の折刃に向け、抑え気味にスライドする。同様に三角部、向きを変え、底面の三辺もスライドする。この時、最初の切り口の向きで開き方が変わる。
【００１０】図１は、スライドの順番。右面図。左面図。図２は斜視図。折刃の説明。
【実施例】
【００１１】他の硬質紙も箱型であれば解体出来る。
【産業上の利用可能性】
【００１２】飲食店、一般家庭向けで気軽に利用出来る。
【符号の説明】
【００１３】１  本体板。試作品は木板。
２  滑り止め板。試作品は３ミリのベニヤ板を両面テープで本体板に固定。
３  ガイド板。試作品は２ミリのアルミ板を使用。
４  ガイド板に両面テープで貼り付けたゴムシート。
５  本体板に両面テープで貼り付けたゴムシート。
６と７  ガイド板に穴を開け、本体板に固定する１２ミリの木工ビス。
８  折刃。１０の背を本体板に着ける。折刃は３ミリ以上、上に出す。
９  深さ３ミリから４ミリ位の緩やかな勾配。
１０  折刃の背
【受託番号】
【・・・・】
【図１】
2018187422.tif 000003
【図２】
2018187422.tif 000004
(57)【要約】      （修正有）【課題】印刷時にプリンターが揺れるためにパソコン本体に振動が伝わりハードディスクなどの障害が発生しやすい。プリンターの振動を吸収してパソコン本体に振動が伝わりにくい構造を提供する。【解決手段】プリンターの底面にローラー状の転がり器具を設置し、プリンターのみが横揺れし、プリンタが載置される台には振動が伝わらない状態を作り出すことによって、印刷時のプリンターの振動を吸収するようにした。また、横揺れするプリンターが、最初の定位置に復旧するようにプラスチックの転がり止め（復旧機構）を追加した。【選択図】図４
2018187908.tif 000002
【特許請求の範囲】
【請求項１】
印刷時にプリンターの横揺れがプリンター台に伝わってパソコン本体やディスプレイが揺れてしまう。
パイプが転がることにより、プリンターの横揺れを吸収しプリンター台には、わずかな振動しか伝わらない。
そのため、パソコン本体および、ディスプレイへの振動が抑制される。
また、安定板（３）の弾力により、プリンターの横揺れ中心位置から必要以上に転がるのことを防止することができる。
【発明の詳細な説明】
【技術分野】
【００１】本発明は、プリンター台の横揺れ振動を抑制する目的の器具に関するものである。
プリンターの印刷時の振動をプリンター台に伝えにくくするためにプリンター底面に取り付けて制振するための器具である。
【背景技術】
【００２】住宅では、地震の際の免震構造として転がり構造を有するものも普及している。
地震の場合は、揺れの方向が特定できないため、全方位の免震機能が必要となっている。
しかし、プリンターの場合は、振動が横方向に限定されるため横方向のみの制振構造を考慮すればよい。
しかし、従来は、簡単な構造で、プリンター台の横揺れ制振機能を実現する器具がなかった。
【発明の概要】
【発明が解決しようとする課題】
【０００３】印刷時にプリンターが揺れるためにパソコン本体に振動が伝わり
ハードディスクなどの障害が発生しやすいため、プリンターの振動を吸収してパソコン本体に振動が伝わりにくくするものである。
また、ディスプレイも印刷時には、振動で揺れてしまう。
【課題を解決するための手段】
【０００４】印刷時のプリンターの振動を吸収するために、プリンターの底面にローラー状の転がり器具を設置し、プリンターのみが横揺れし、台には振動が伝わらない状態を作り出した。
また、横揺れするプリンターが、最初の定位置に復旧するようにプラスチックの転がり止め（復旧機構）を追加した。
【発明の効果】
【０００５】印刷時のプリンター横揺れを吸収できるため、パソコン本体への振動がほとんど伝わらなくなった。
そのため、台の振動によるパソコン本体のハードディスク故障の原因を取り除くことができた。
また、ディスプレイの揺れも、ほとんど無くなった。
【先行技術文献】
【特許文献】
【０００６】
【特許文献１】特開平７−３１４８５４
【特許文献２】特開平５−１８６６５５
【特許文献３】実開平０３−１１２３４９
【発明の概要】
【発明が解決しようとする課題】
【０００７】上記の特許文献１においては、器具が大掛かりなため設置に難がある。
特許文献２においては、こまかな振動は吸収できても大きな横揺れは吸収できない。
特許文献３においては、プリンター底面に支柱状の制振器具を設置するもので安定性に不安がある。
【課題を解決するための手段】
【０００８】そこで、本発明にあっては、上記の課題を解決するためシンプルな構造で高い制振効果をもつ器具を考案した。
【発明の効果】
【０００９】印刷時の横揺れに関しては、満足のいく制振効果が実施できた。
また、構造が簡単で、かつ自由にプリンターの底面に配置できるためプリンターの機種による底面サイズの違いを、ある程度カバーすることができる。
【図面の簡単な説明】
【００１０】
【図１】  本発明品の正面図である
【図２】  本発明品の側面図である
【図３】  本発明品の底面図である
【図４】  本発明品の設置・使用方法である
【発明を実施するための形態】
【００１１】以下、本発明の実施の形態について説明する。
（イ）プリンターの底面に本発明品を設置する。
（ロ）印刷時のプリンターの揺れにより、本発明品が外れないように位置を調節する。
【符号の説明】
【００１２】１  プリンター本体
２  本発明品
３  安定板
【図１】
2018187908.tif 000003
【図２】
2018187908.tif 000004
【図３】
2018187908.tif 000005
【図４】
2018187908.tif 000006
(57)【要約】      （修正有）【課題】プレス成形をした給油口のキャップカバーの蓋を鉄板製のボデイ表面から無くする構造の自動車を提供する。【解決手段】ライト内のテールライト収納スペース内に給油口１５を備える。先ずテールライトの内側部分とボデイとを介してヒンジ１０でテールライトを開閉可能にする。次にテールライトを開いてテールライト収納スペースの底面にトレー１４を、続いて穴の開いた給油口を設け、給油口から従来と同様に下部に設けた燃料タンクにパイプで接続する。【選択図】図６
2018158611.tif 000002
【特許請求の範囲】
【請求項１】
各ライト収納スペース内及びフェンダーの内側面、ドアを閉めた時にドアが接するそれぞれの面に給油口を備えた構造の自動車にする。
【発明の詳細な説明】
【技術分野】
【０００１】
本発明は自動車の給油口を鉄板製のボデイ表面から無くする構造に関する。
【背景技術】
【０００２】
従来市場にある自動車の給油口は図１に見られるようにボデイ後部のフェンダーの上部付近にキャップをカバーするプレス成形をした蓋付の構造になっている。従って蓋部分のプレス成形加工及び塗装作業が別工程になり、又プレス及び金型を必要とする。特許文献１では、エンジンルーム内に給油口が有り、鉄板製のボデイ表面に給油口を備えたものではない。
【先行技術文献】
【特許文献】
【０００３】
【特許文献１】公開実用新案昭６２−０５３０２３
【発明の開示】
【発明が解決しようとする課題】
【０００４】
以上のように自動車の給油口１５は図１に見られるようにボデイ１後部のフェンダー４の上部付近にキャップ１６をカバーするプレス成形加工をした蓋７付きの構造になっている。従って蓋７部分のプレス成形加工及び塗装作業が別工程になり、又プレス及び金型を必要とする。
【課題を解決するための手段】
【０００５】
上記課題を解決するため本発明は従来のプレス成形加工を有した給油口１５のキャップ１６カバーの蓋７をなくする構造を目的とする。
【０００６】
そして本発明は上記目的を達成するための方法として各ライト収納スペース９内及びフェンダー４の内側面、ドアを閉めた時にドアが接するそれぞれの面に給油口１５を備えた構造の自動車にする。
【０００７】
そして代表的な例としてテールライト８内のテールライト収納スペース９に給油口１５を備える案は次の如くである。先ずテールライト８の内側部分とボデイ１とを介してヒンジ１０でテールライト８を開閉可能にする。次にテールライト８を開いてテールライト収納スペース９の底面にトレー１４を、続いて穴の開いた給油口１５を設け、給油口１５から従来と同様に下部に設けた燃料タンクにパイプ１８で接続することによりプレス成形加工をした給油口１５のキャップカバーの蓋７を鉄板製のボデイ１表面から無くする構造の自動車が実現できる。
【０００８】
テールライト７の開閉方向は限定せず、給油口１５は左右どちらのテールライト収納スペース８内に設けるのでもよい。
【発明の効果】
【０００９】
蓋７のプレス加工及び塗装工程が１回減り、塗装面積（約０、１２％）の削減、更には蓋７専用のプレス及び金型が不要となりコストダウンが図られる。
【図面の簡単な説明】
【００１０】
【図１】自動車の斜め後方から見た給油口を表した部分外観図。
【図２】自動車の通常時の形態を上部から見た部分平面図。
【図３】図２の後方からの部分外観図。
【図４】図２のテールライト開いている形態を示した部分外観図。
【図５】図４の後方からの部分外観図。
【図６】本発明のテールライト収納スペース内に給油口を設けた例を示す部分外観図。
【図７】図６の左側面の部分断面図。
【図８】本発明のフェンダーの内側に給油口を設けた例を示す部分断面図。
【図９】本発明のドアが接するフェンダーの外側面に給油口を設けた例を示す部分断面図。
【発明を実施するための最良の形態】
【００１１】
以下本発明の実施するための最良の形態を添付図に基づいて説明する。図２及び図３は通常時、例えば運転時にテールライトが閉じた状態を表している。図４及び図５はテールライトが開いた形態を表している。図６は図５の部分詳細図でテールライトを開きテールライト収納スペース内に有しているトレーと給油口のキャップを表している。テールライトは通常時閉じているが図２、図３、給油時はテールをライト開きテールライト収納スペースに有する給油口のキャップを開け給油をすることができる。従って課題である鉄板製のボデイ表面から給油口を無くする構造の自動車を提供できる。
【符号の説明】
【００１２】
１  ボデイ    
２  トランク
３  バンパー
４  フェンダー
５  タイヤ
６  ハブ
７  蓋
８  テールライト
９  テールライト収納スペース
１０  ヒンジ
１１  ストッパー用ピン
１２  ストッパー用ピンキャッチホール  
１３  電気系統ユニット
１４  トレー
１５  給油口
１６  キャップ
１７  脱落防止ワイヤー
１８  パイプ
【図１】
2018158611.tif 000003
【図２】
2018158611.tif 000004
【図３】
2018158611.tif 000005
【図４】
2018158611.tif 000006
【図５】
2018158611.tif 000007
【図６】
2018158611.tif 000008
【図７】
2018158611.tif 000009
【図８】
2018158611.tif 000010
【図９】
2018158611.tif 000011